(57)【要約】      （修正有）【課題】軽量な合成樹脂管の抱持支持に適した簡易な構成を有し、しかも滑り易い表面を有する合成樹脂管であっても適切な配管抱持による支持が可能な配管支持具を提供する。【解決手段】半円状又はアーチ状の形状に形成されて、配管を抱持するバンド抱持部１１と、バンド抱持部の端部の一方又は両方に連設され、床面や壁面を含む取付面に取り付けられる取付部と、を有し、半円状又はアーチ状の開放された部分を前記取付面に向けて取り付ける構成の配管支持具１において、バンド抱持部の両方の端部の近傍の内側の各々に、抱持する配管の外周面に当接して配管を押圧支持する配管押圧支持部１３が相対向する向きで設けられており、配管押圧支持部が、バンド抱持部の一部を半円状又はアーチ状の開放された部分方向であって且つ円周方向に延伸するように切起した状態で形成された構成である。【選択図】図１
2017161041.tif 000002
【特許請求の範囲】
【請求項１】
半円状又はアーチ状の形状に形成されて、配管を抱持するバンド抱持部と、
該バンド抱持部の端部の一方又は両方に連設され、床面や壁面を含む取付面に取り付けられる取付部と、
を有し、
前記半円状又はアーチ状の開放された部分を前記取付面に向けて取り付ける構成の配管支持具において、
前記バンド抱持部の両方の端部の近傍の内側の各々に、抱持する配管の外周面に当接して該配管を押圧支持する配管押圧支持部が相対向する向きで設けられており、
該配管押圧支持部が、前記バンド抱持部の一部を前記半円状又はアーチ状の開放された部分方向であって且つ円周方向に延伸するように切起した状態で形成された構成であり、
更に、前記バンド抱持部の頂部に２枚の重連用取付部が立設されており、
この２枚の重連用取付部は、前記頂部の平行する２箇所を基端として前記頂部より端部方向部分の夫々が切り起こされた状態で前記頂部から立設された構成であり、
且つ、この２枚の重連用取付部は、前記頂部の基端から離れた位置で重合された状態であると共に、この重合された部分に他の配管支持具の取付部又は接続部を係合可能な透孔が形成された構成であること、
を特徴とする配管支持具。
【請求項２】
前記配管支持具が、１枚の板状材を加工した状態で形成された構成であることを特徴とする請求項１に記載の配管支持具。
【請求項３】
前記バンド抱持部が半円状を有し、
前記取付部が、該バンド抱持部の両端部近傍の各々から外側方向であって且つ前記取付面と面接触可能に各々設けられた構成であること、
を特徴とする請求項１又は２に記載の配管支持具。
【請求項４】
前記バンド抱持部が半円状を有し、
該バンド抱持部の一方の端部には、該一方の端部近傍から外側方向であって且つ前記取付面と面接触可能に前記取付部が設けられていると共に、
該バンド抱持部の他方の端部は、前記取付部が設けられることなく、該他方の端部が前記取付面に当接又は近接する部分で途切れている構成であること、
を特徴とする請求項１又は２に記載の配管支持具。
【請求項５】
前記バンド抱持部がアーチ状を有し、
前記取付部が、該バンド抱持部の両端部近傍の各々から外側方向であって且つ前記取付面と面接触可能に各々設けられた構成であること、
を特徴とする請求項１又は２に記載の配管支持具。
【請求項６】
前記バンド抱持部が、２本以上の配管を並列状態で抱持する構成であることをを特徴とする請求項３〜５のいずれかに記載の配管支持具。
【請求項７】
前記バンド抱持部が、２本以上の配管を重層状態で抱持する構成であることをを特徴とする請求項３〜５のいずれかに記載の配管支持具。
【請求項８】
前記配管押圧支持部の基端部分をスポット溶接の如き補強手段を用いて補強した構成であることを特徴とする請求項１〜７のいずれかに記載の配管支持具。
【請求項９】
前記重連用取付部の基端部分をスポット溶接の如き補強手段を用いて補強した構成であることを特徴とする請求項１〜８のいずれかに記載の配管支持具。
【請求項１０】
前記２枚の重連用取付部の重合した部分をスポット溶接の如き接合手段を用いて接合した構成であることを特徴とする請求項１〜９のいずれかに記載の配管支持具。
【請求項１１】
前記配管押圧支持部が、当接する配管の外周面の曲面に対応する曲面加工部を有して配管の外周面に面接触によって押圧支持する構成であることを特徴とする請求項１〜１０のいずれかに記載の配管支持具。
【請求項１２】
前記配管押圧支持部が、波状又はジグザグ状に折曲加工された状態の折曲加工部を有し、この折曲加工部が配管の外周面に複数の当接箇所によって押圧支持された状態の構成であることを特徴とする請求項１〜１０のいずれかに記載の配管支持具。
【請求項１３】
前記配管押圧支持部が、該配管押圧支持部の先端が配管側に折曲加工された状態の先端折曲部を有し、この先端折曲部が配管の外周面に引掛け又は食込み接触することによって押圧支持された状態の構成であることを特徴とする請求項１〜１０のいずれかに記載の配管支持具。
【請求項１４】
前記先端折曲部が、配管押圧支持部の表面に重積するように折曲加工された状態の重積折曲部を有し、この重積折曲部が配管押圧を行う状態の構成であることを特徴とする請求項１３に記載の配管支持具。
【請求項１５】
請求項１〜１４のいずれかに記載の配管支持具の重連用取付部に別なる配管支持具である第２配管支持具を接続取付けすることによって、別なる配管である第２配管の支持を可能とした構成であることを特徴とする配管支持具。
【請求項１６】
前記第２配管支持具が、
両端が接触又は近接して略円形を成して第２配管を抱持する第２バンド抱持部と、
該第２バンド抱持部の両端部の各々に連設され、前記重連用取付部に接続取付けされた第２取付部と、
前記第２バンド抱持部の頂部に立設された２枚の第２重連用取付部と、
を有する構成であり、
この２枚の第２重連用取付部は、該頂部の平行する２箇所を基端として該頂部より端部方向部分の夫々が切り起こされた状態で該頂部から立設する構成であり、
更にこの２枚の第２重連用取付部は、該頂部の基端から離れた位置で重合された状態であると共に、この重合された部分に更に別なる配管支持具の取付部又は接続部を係合可能な透孔が形成された構成であること、
を特徴とする請求項１５に記載の配管支持具。
【発明の詳細な説明】
【技術分野】
【０００１】
本発明は配管支持具に関し、詳しくは合成樹脂製配管の抱持支持に用いて適切な床面・壁面固定用の配管支持具に関する。
【背景技術】
【０００２】
給水管、給湯管、排水管等の種々配管類を支持固定するために抱持バンドを有する配管支持具が用いられている（例えば、特許文献１等参照）。
【０００３】
この種の配管支持具は、半割状の環状部材から成るバンド部と該バンド部の端部に連設された接続部にタンバックルを接続固定し、このタンバックルを天井スラブ等から垂設された吊りボルトや壁面スラブ等から立設された立ちボルトに緊締することにより固定支持する構成を有している。
【先行技術文献】
【特許文献】
【０００４】
【特許文献１】特開平０９−１２６２１６号
【発明の概要】
【発明が解決しようとする課題】
【０００５】
種々の配管類は、近年、鋼管に代わって合成樹脂管（ポリエチレン管、架橋ポリエチレン管、ポリブデン管、塩化ビニル管、プロピレン管、ＡＢＳ管等）が用いられるようになってきており、今後、大部分の配管類が鋼管から合成樹脂管に代わることが予想されている。
【０００６】
合成樹脂管は、高い耐蝕性を有し、しかも鋼管と同等乃至同等以上の耐熱性及び耐衝撃性を有するのに鋼管に比して軽量であり、更に加工が容易であるため、取扱性等の点で優れている。
【０００７】
本発明者は、かかる合成樹脂管の配管支持技術について鋭意研究を続けたところ、合成樹脂管は上記したように軽量であるため、従来の鋼管用の支持具が求められるほどの堅牢度・強度等が必要ではないことを見出した。また、複数本の配管を並列状態で支持する場合においても同様である。
【０００８】
更に合成樹脂管は、耐蝕性や取扱性等の点で鋼管に比して優れている点もあるが、表面が滑り易いために配管支持具による抱持性に問題がある。即ち、ウォーターハンマー現象等の振動によって軸方向に滑って位置ズレを起し易く、経時的には複数の配管同士の接続部に負荷が掛かってしまうおそれを有している。
【０００９】
そこで本発明の課題は、軽量な合成樹脂管の抱持支持に適した簡易な構成を有し、しかも複数本の配管を並列状態で支持する場合であっても適用可能であり、更に滑り易い表面を有する合成樹脂管であっても適切な配管抱持による支持が可能な配管支持具を提供することにある。
【課題を解決するための手段】
【００１０】
上記課題を解決する本発明は下記構成を有する。
【００１１】
１．半円状又はアーチ状の形状に形成されて、配管を抱持するバンド抱持部と、
該バンド抱持部の端部の一方又は両方に連設され、床面や壁面を含む取付面に取り付けられる取付部と、
を有し、
前記半円状又はアーチ状の開放された部分を前記取付面に向けて取り付ける構成の配管支持具において、
前記バンド抱持部の両方の端部の近傍の内側の各々に、抱持する配管の外周面に当接して該配管を押圧支持する配管押圧支持部が相対向する向きで設けられており、
該配管押圧支持部が、前記バンド抱持部の一部を前記半円状又はアーチ状の開放された部分方向であって且つ円周方向に延伸するように切起した状態で形成された構成であり、
更に、前記バンド抱持部の頂部に２枚の重連用取付部が立設されており、
この２枚の重連用取付部は、前記頂部の平行する２箇所を基端として前記頂部より端部方向部分の夫々が切り起こされた状態で前記頂部から立設された構成であり、
且つ、この２枚の重連用取付部は、前記頂部の基端から離れた位置で重合された状態であると共に、この重合された部分に他の配管支持具の取付部又は接続部を係合可能な透孔が形成された構成であること、
を特徴とする配管支持具。
【００１２】
２．前記配管支持具が、１枚の板状材を加工した状態で形成された構成であることを特徴とする上記１に記載の配管支持具。
【００１３】
３．前記バンド抱持部が半円状を有し、
前記取付部が、該バンド抱持部の両端部近傍の各々から外側方向であって且つ前記取付面と面接触可能に各々設けられた構成であること、
を特徴とする上記１又は２に記載の配管支持具。
【００１４】
４．前記バンド抱持部が半円状を有し、
該バンド抱持部の一方の端部には、該一方の端部近傍から外側方向であって且つ前記取付面と面接触可能に前記取付部が設けられていると共に、
該バンド抱持部の他方の端部は、前記取付部が設けられることなく、該他方の端部が前記取付面に当接又は近接する部分で途切れている構成であること、
を特徴とする上記１又は２に記載の配管支持具。
【００１５】
５．前記バンド抱持部がアーチ状を有し、
前記取付部が、該バンド抱持部の両端部近傍の各々から外側方向であって且つ前記取付面と面接触可能に各々設けられた構成であること、
を特徴とする上記１又は２に記載の配管支持具。
【００１６】
６．前記バンド抱持部が、２本以上の配管を並列状態で抱持する構成であることをを特徴とする上記３〜５のいずれかに記載の配管支持具。
【００１７】
７．前記バンド抱持部が、２本以上の配管を重層状態で抱持する構成であることをを特徴とする上記３〜５のいずれかに記載の配管支持具。
【００１８】
８．前記配管押圧支持部の基端部分をスポット溶接の如き補強手段を用いて補強した構成であることを特徴とする上記１〜７のいずれかに記載の配管支持具。
【００１９】
９．前記重連用取付部の基端部分をスポット溶接の如き補強手段を用いて補強した構成であることを特徴とする上記１〜８のいずれかに記載の配管支持具。
【００２０】
１０．前記２枚の重連用取付部の重合した部分をスポット溶接の如き接合手段を用いて接合した構成であることを特徴とする上記１〜９のいずれかに記載の配管支持具。
【００２１】
１１．前記配管押圧支持部が、当接する配管の外周面の曲面に対応する曲面加工部を有して配管の外周面に面接触によって押圧支持する構成であることを特徴とする上記１〜１０のいずれかに記載の配管支持具。
【００２２】
１２．前記配管押圧支持部が、波状又はジグザグ状に折曲加工された状態の折曲加工部を有し、この折曲加工部が配管の外周面に複数の当接箇所によって押圧支持された状態の構成であることを特徴とする上記１〜１０のいずれかに記載の配管支持具。
【００２３】
１３．前記配管押圧支持部が、該配管押圧支持部の先端が配管側に折曲加工された状態の先端折曲部を有し、この先端折曲部が配管の外周面に引掛け又は食込み接触することによって押圧支持された状態の構成であることを特徴とする上記１〜１０のいずれかに記載の配管支持具。
【００２４】
１４．前記先端折曲部が、配管押圧支持部の表面に重積するように折曲加工された状態の重積折曲部を有し、この重積折曲部が配管押圧を行う状態の構成であることを特徴とする上記１３に記載の配管支持具。
【００２５】
１５．上記１〜１４のいずれかに記載の配管支持具の重連用取付部に別なる配管支持具である第２配管支持具を接続取付けすることによって、別なる配管である第２配管の支持を可能とした構成であることを特徴とする配管支持具。
【００２６】
１６．前記第２配管支持具が、
両端が接触又は近接して略円形を成して第２配管を抱持する第２バンド抱持部と、
該第２バンド抱持部の両端部の各々に連設され、前記重連用取付部に接続取付けされた第２取付部と、
前記第２バンド抱持部の頂部に立設された２枚の第２重連用取付部と、
を有する構成であり、
この２枚の第２重連用取付部は、該頂部の平行する２箇所を基端として該頂部より端部方向部分の夫々が切り起こされた状態で該頂部から立設する構成であり、
更にこの２枚の第２重連用取付部は、該頂部の基端から離れた位置で重合された状態であると共に、この重合された部分に更に別なる配管支持具の取付部又は接続部を係合可能な透孔が形成された構成であること、
を特徴とする上記１５に記載の配管支持具。
【発明の効果】
【００２７】
請求項１に示す発明によれば、軽量な合成樹脂管の抱持支持に適した簡易な構成を有し、しかも複数本の配管を並列状態で支持する場合であっても適用可能であり、更に滑り易い表面を有する合成樹脂管であっても適切な配管抱持による支持が可能な配管支持具を提供することができる。
【００２８】
特に、バンド抱持部の開放された部分に設けられた配管押圧支持部が、該バンド抱持部に抱持支持する配管をその外周面を押圧することによって確実に安定した状態での抱持支持が可能となると共に、取付面に取り付ける前の状態であっても配管から配管支持具が脱落してしまうことがないので現場での作業性が著しく向上する。
しかも、複数本の配管を並列状態で支持する場合、重連用取付部に別なる配管しｊ具を接続取付けすることによって重連状態での並設支持が可能である。
そして配管押圧支持部と重連用取付部の各々は、バンド抱持部の一部を切り起こすだけで加工可能であるため、別部材を付加することもないし、切り取り加工等によって廃棄が必要となる部材も生じることもなく、低コスト化が可能なだけでなく、環境適正にも優れている。
加えて、簡易な構成の配管支持具は、使用材料を著しく少なくすることができるので低コスト化が可能であるだけでなく、軽量化を図ることができるので建築物や構築物に用いる数量が多い場合には現場への搬入時の搬送性や作業性の点で極めて有利である。
【００２９】
請求項２に示す発明によれば、１枚の板状材を打ち抜き・プレス・折曲等の簡易な加工手段により形成することが可能なので極めて低コストでの提供が可能である。
【００３０】
請求項３に示す発明によれば、いわゆるサドルバンドのタイプに適用することができる。
【００３１】
請求項４に示す発明によれば、いわゆる片サドルバンドのタイプに適用することができる。
【００３２】
請求項５に示す発明によれば、いわゆる角サドルバンドの一種の角部に丸みを有するタイプに適用することができる。
【００３３】
請求項６又は７に示す発明によれば、一つの簡易な構成の配管支持具によって複数本の配管の支持が可能である。
【００３４】
請求項８に示す発明によれば、取付部の切起し基端部分の強度を高くすることができる。
【００３５】
請求項９に示す発明によれば、重連用取付部の切起し基端部分の強度を高くすることができる。
【００３６】
請求項１０に示す発明によれば、重連用取付部の重合部分の強度を高くすることができる。
【００３７】
請求項１１に示す発明によれば、配管の外周面に対して配管押圧支持部の曲面加工部の略全面を接触させることができるので接触面積が大きくなり押圧支持効果を向上させることができる。
【００３８】
請求項１２に示す発明によれば、配管の外周面に対して配管押圧支持部の折曲加工部が引っ掛かるように押圧当接することになるので押圧支持効果を向上させることができる。
【００３９】
請求項１３に示す発明によれば、配管の外周面に対して配管押圧支持部の先端折曲が引っ掛かるように又は食込むように押圧当接することになるので押圧支持効果を向上させることができる。
【００４０】
請求項１４に示す発明によれば、上記請求項１１に示す発明に比べ、押圧当接時の配管への負荷を軽減させることができる。
【００４１】
請求項１５に示す発明によれば、異なる配管を重連状態で並設支持することができる。また、接続取付けする別なる配管支持具を適宜選択することにより、異なる径の配管の並設支持が可能となる。
【００４２】
請求項１６に示す発明によれば、配管支持具の重連用取付部に接続取付けした第２配管支持具に、更に別なる配管支持具を接続取付けすることによって３重連状態での並設支持が可能となる。
【図面の簡単な説明】
【００４３】
【図１】本発明に係る配管支持具の一実施例を示す５面図（正面図、平面図、底面図、左側面図、Ａ−Ａ断面図）
【図２】図１に示す配管支持具の使用例の一例を示す概略正面図
【図３】本発明に係る配管支持具の第２実施例を示す６面図（正面図、平面図、底面図、左側面図、右側面図、Ｂ−Ｂ断面図）
【図４】本発明に係る配管支持具の第３実施例を示す５面図（正面図、平面図、底面図、左側面図、右側面図、Ｃ−Ｃ断面図）
【図５】図４に示す配管支持具の使用例の一例を示す概略正面図
【図６】本発明に係る配管支持具の第４実施例の使用例の一例を示す概略正面図
【図７】配管押圧支持部の一例を示す要部拡大断面図（断面線は円周方向）
【図８】配管押圧支持部の他の一例を示す要部拡大断面図（断面線は円周方向）
【図９】配管押圧支持部の更に他の一例を示す要部拡大断面図（断面線は円周方向）
【図１０】本発明の配管支持具に接続取付けできる第２配管支持具の一例を示す５面図（正面図、平面図、底面図、左側面図、Ｄ−Ｄ断面図）
【発明を実施するための形態】
【００４４】
次に、添付の図面に従って本発明について詳細に説明する。
【００４５】
本発明に係る配管支持具は、給水管、給湯管、排水管等の種々配管類を床面や壁面等の取付面に沿った状態で固定支持するものである。
この配管支持具の取付構成としては、バンド抱持部に配管を抱持した状態で、該バンド抱持部の端部の一方又は両方に連設される取付部を前記取付面に取付固定することによって、前記配管を前記取付面に沿った状態で固定支持することができる。
【００４６】
固定支持する種々の配管類としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００４７】
本発明の配管支持具１の具体的構成例としては、図１及び図２に示すように、
配管支持具１は、
半円状、円弧状又はアーチ状の何れかの形状（本実施例では半円状）に形成されて、配管を抱持するバンド抱持部１１と、
該バンド抱持部１１の端部の一方又は両方（本実施例では両方１１Ａと１１Ｂ）に連設され、床面や壁面を含む取付面２に取り付けられる取付部１２・１２と、
を有する構成において、
前記バンド抱持部１１の両方の端部１１Ａ・１１Ｂの近傍の内側の各々に、抱持する配管Ｐの外周面に当接して該配管Ｐを押圧支持する配管押圧支持部１３・１３が相対向する向きで設けられており、
該配管押圧支持部１３・１３が、前記バンド抱持部１１の一部を前記半円状又はアーチ状の開放された部分方向であって且つ円周方向に延伸するように切起した状態で形成された構成であり、
更に、前記バンド抱持部１１の頂部１１Ｃに２枚の重連用取付部１４・１４が立設されており、
この２枚の重連用取付部１４・１４は、前記頂部１１Ｃの平行する２箇所を基端として前記頂部１１Ｃより端部１１Ａ・１１Ｂ方向部分の夫々が切り起こされた状態で前記頂部１１Ｃから立設された構成であり、
且つ、この２枚の重連用取付部１４・１４は、前記頂部１１Ｃの基端から離れた位置で重合された状態であると共に、この重合された部分に他の配管支持具の取付部又は接続部を係合可能な透孔１４Ａが形成された構成となっている。
【００４８】
以下、本発明の構成について更に詳説する。
【００４９】
本発明の配管支持具は、１枚の板状材を加工して形成されており、加工手段としては１枚の板状材を打ち抜き・プレス・折曲等の簡易な加工手段を挙げることができる。これらの加工手段によって、極めて低コストでの提供が可能である。また、用いられる材質としては、この種の配管支持具に用いられる材料として公知公用のものを特別の制限なく用いることができ、好ましくはステンレスやその他の金属である。
【００５０】
配管押圧支持部１３は、配管Ｐの外周面の曲面に対応するように曲面加工した曲面加工部とする構成が好ましい。かかる構成によれば、配管Ｐの外周面に面接触によって押圧支持する構成となるので、配管Ｐの外周面に対して配管押圧支持部１３の略全面を接触させることができるので接触面積が大きくなり押圧支持効果を向上させることができる。
【００５１】
図１に示す本実施例は、バンド抱持部１１が半円状を有し、該バンド抱持部１１の両端部１１Ａ・１１Ｂの各々から外側方向であって且つ前記取付面２と面接触可能に前記取付部１２・１２が各々設けられた構成の、いわゆるサドルバンドのタイプに適用された態様を示す。
【００５２】
尚、図１に示す符号１１Ｄ・１１Ｄは配管押圧支持部１３・１３が切起こされることにより孔部となったバンド抱持部１１の被切起し部であり、符号１１Ｅ・１１Ｅは重連用取付部１４・１４が切起こされることにより孔部となったバンド抱持部１１の被切起し部である。
【００５３】
以上の構成を有する本発明の配管支持具１は、バンド抱持部１１の内側に切り起された配管押圧支持部１３・１３が該バンド抱持部１１に抱持支持する配管Ｐをその外周面を押圧することによって確実に安定した状態での抱持支持が可能となると共に、バンド抱持部１１に配管Ｐを抱持した状態で取付面２にボルト等の取付固定手段３により取付固定することによって前記配管Ｐの支持固定が可能となる。特に、取付面２に取り付ける前の状態であっても配管Ｐから配管支持具１が脱落してしまうことがないので現場での作業性が著しく向上する。
そしてこの配管押圧支持部１３・１３は、バンド抱持部１１の一部を切り起こすだけで加工可能であるため、別部材を付加することもないし、切り取り加工等によって廃棄が必要となる部材も生じることもなく、低コスト化が可能なだけでなく、環境適正にも優れている。
しかも、簡易な構成の配管支持具１は、使用材料を著しく少なくすることができるので低コスト化が可能であるだけでなく、軽量化を図ることができるので建築物や構築物に用いる数量が多い場合には現場への搬入時の搬送性や作業性の点で極めて有利である。
【００５４】
上記の構成を有する配管支持具１は、更に、図２に示すように、バンド抱持部１１の頂部１１Ｃに立設した２枚の重連用取付部１４・１４に別なる配管支持具である第２配管支持具１０１を接続取付けすることによって、別なる配管である第２配管ＰＰの抱持支持が可能となる。尚、図２に示す実施例に用いられる第２配管支持具１０１は、床面や壁面等の取付面に立て配管する際に好ましく用いられる配管支持バンドであり、特に本実施例では蝶番部等の連結部分を持たないいわゆる提灯式タイプの配管支持バンドを用いている。尚また、図２に示す符号４は、重連用取付部１４に第２配管支持具１０１の第２取付部１１２を接続固定するためのボルト・ナットの如き重連固定手段である。
【００５５】
かかる構成によれば、異なる配管Ｐ・第２配管ＰＰを重連状態で並設支持することができる。
【００５６】
また、接続取付けする第２配管支持具１０１を適宜選択することにより、異なる径の配管Ｐ・第２配管ＰＰの並設支持が可能となる。即ち、第２配管支持具１０１として、第２バンド抱持部１１１の径が異なるものを用意することにより、本発明の配管支持具１が支持固定する配管Ｐとは異なる径を有する第２配管ＰＰを重連状態で並設支持することができる。
【００５７】
以上、本発明に係る配管支持具について説明したが、本発明は上記実施例に限定されず、本発明の範囲内において種々の他の態様を採ることもできる。
【００５８】
例えば、図３に示す第２実施例は、バンド抱持部１１が半円状を有し、該バンド抱持部１１の一方の端部１１Ａには、該一方の端部１１Ａから外側方向であって且つ前記取付面２と面接触可能に取付部１２が設けられていると共に、該バンド抱持部１１の他方の端部１１Ｂは、取付部が連設されることなく、該他方の端部１１Ｂが前記取付面２に当接又は近接する部分で途切れている構成の、いわゆる片サドルバンドのタイプに適用された態様を示す。
【００５９】
また、図４に示す第３実施例は、バンド抱持部１１がアーチ状を有し、該バンド抱持部１１の両端部１１Ａ・１１Ｂの各々から外側方向であって且つ前記取付面２と面接触可能に取付部１２Ａ・１２Ｂが各々設けられた構成の、いわゆる角サドルバンドの一種の角部に丸みを有するタイプに適用された態様を示す。
【００６０】
尚、この図４に示す第３実施例では、バンド抱持部１１の抱持幅を２倍に拡大した構成とすることによって、図５に示すように、配管Ｐを２本並列状態で支持固定する態様としているが、上記した他の実施例と同様に１本のみの支持固定であってもよいし、３本以上とすることもできる。
尚また、この２本以上の配管Ｐの並列状態での支持については、本発明の範囲内における他の全ての態様についても適用可能である。
【００６１】
２本以上の配管Ｐを抱持する態様の場合、図４及び図５に示す第３実施例の並列状態で抱持する構成に限らず、図６に示すような、重層状態で抱持する構成を採ることもできる。図６に示す実施例は、図１及び図２に示すサドルバンドのタイプの配管支持具１のバンド抱持部１１を重層方向に拡大した構成とすることによって２本の配管Ｐを重層状態に抱持することができるものである。
尚、本実施例では２本の配管Ｐを重層状態に抱持する構成であるが、３本以上とすることもできる。
尚また、この２本以上の配管Ｐの重層状態での支持については、本発明の範囲内における他の全ての態様についても適用可能である。
【００６２】
重連用取付部１４の各々について、各々の切起した基端部分をスポット溶接の如き補強手段を用いて補強する構成が好ましく、かかる構成によれば、切起し部分の破断や裂けを抑制できるので、この切起した起端部分の強度を高くすることができる。
【００６３】
２枚の重連用取付部１４・１４の重合した部分をスポット溶接の如き接合手段を用いて接合する構成が好ましく、かかる構成によれば、重連用取付部１４・１４の重合部分の強度を高くすることができる。
【００６４】
また、配管押圧支持部１３は、上記した各実施例では配管Ｐの外周面の曲面に対応するように曲面加工した構成としているが、他の態様とすることもできる。
【００６５】
例えば、図７に示すように、波状又はジグザグ状に折曲加工された折曲加工部１３Ａが配管Ｐの外周面に複数の当接箇所によって押圧支持する構成とすることも好ましい。かかる構成によれば、配管Ｐの外周面に対して配管押圧支持部１３の折曲加工部１３Ａが引っ掛かるように押圧当接することになるので押圧支持効果を向上させることができる。
【００６６】
図８に示すように、配管押圧支持部１３の先端が配管Ｐ側に折曲加工された先端折曲部１３Ｂを有し、この先端折曲部１３Ｂが配管Ｐの外周面に引掛け又は食込み接触することによって押圧支持する構成とすることも好ましい。かかる構成によれば、配管Ｐの外周面に対して配管押圧支持部１３の先端折曲部１３Ｂが引っ掛かるように又は食込むように押圧当接することになるので押圧支持効果を向上させることができる。
【００６７】
図８に示す先端折曲部１３Ｂは、図９に示すように更に配管押圧支持部１３の表面に重積するように折曲加工された重積折曲部１３Ｃとすれば、前記先端折曲部１３Ｂに比べて押圧支持時の配管Ｐへの負荷を軽減させつつ押圧支持効果を向上させることができる。
【００６８】
配管押圧支持部１３・１３の各々について、各々の切起した基端部分をスポット溶接の如き補強手段を用いて補強する構成が好ましく、かかる構成によれば、切起し部分の破断や裂けを抑制できるので、この切起した起端部分の強度を高くすることができる。
【００６９】
更に、重連用取付部１４・１４に接続取付けする第２の配管支持具１０１としては、上記した図２に示すような提灯式タイプの配管支持バンドに限らず、前記重連用取付部１４・１４に接続取付可能な構成であれば、他の構成を有する様々な配管支持具を接続取付けすることができる。
【００７０】
図１０に示す実施例は、図２に示す第２配管支持具１０１とは異なる構成を有する第２配管支持具２０１である。
【００７１】
図１０に示す第２配管支持具２０１は、
両端２１１Ａ・２１１Ｂが接触又は近接して略円形を成して配管ＰＰを抱持する第２バンド抱持部２１１と、
該第２バンド抱持部２１１の両端部２１１Ａ・２１１Ｂの各々に連設され、前記重連用取付部１３に接続取付けする第２取付部２１２と、
前記第２バンド抱持部２１１の頂部２１１Ｃに立設する２枚の第２重連用取付部２１３・２１３と、
を有する構成であり、
この２枚の第２重連用取付部２１３・２１３は、該頂部２１１Ｃの平行する２箇所を基端として該頂部２１１Ｃより端部方向部分の夫々が切り起こされた状態で該頂部２１１Ｃから立設する構成であり、
更にこの２枚の第２重連用取付部２１３・２１３は、該頂部２１１Ｃの基端から離れた位置で重合された状態あると共に、この重合された部分に更に別なる配管支持具の取付部又は接続部を係合可能な透孔２１３Ａが形成された構成を有するものである。
【００７２】
尚、図１０に示す符号２１１Ｄ・２１１Ｄは、第２重連用取付部２１３・２１３が切起こされることにより孔部となった第２バンド抱持部２１１の被切起し部である。
【００７３】
尚また、符号２１２Ａは、第２取付部２１２に形成された透孔であり、配管支持具１の重連用取付部１３・１３に取付固定する際に、ボルト・ナットの如き重連固定手段が挿通緊締される。
【００７４】
図１０に示す構成の第２配管支持具２０１を用いることにより、配管支持具１の重連用取付部１３・１３に接続取付けした第２配管支持具２０１に、更に別なる配管支持具を接続取付けすることによって３重連状態での並設支持が可能となる。
【符号の説明】
【００７５】
１  配管支持具
１１  バンド抱持部
１１Ａ  バンド抱持部の一方の端部
１１Ｂ  バンド抱持部の他方の端部
１１Ｃ  バンド抱持部の頂部
１１Ｄ  被切起し孔部
１１Ｅ
１２  バンド端部
１３  配管押圧支持部
１３Ａ  折曲加工部
１３Ｂ  先端折曲部
１３Ｃ  重積折曲部
１４  重連用取付部
１４Ａ  透孔
２  取付面
３  取付固定手段
４  重連固定手段
１０１  第２配管支持具
１１１  第２バンド抱持部
１１２  第２取付部
２０１  第２配管支持具
２１１  第２バンド抱持部
２１１Ａ  第２バンド抱持部の一方の端部
２１１Ｂ  第２バンド抱持部の他方の端部
２１１Ｃ  第２バンド抱持部の頂部
２１１Ｄ  被切起し孔部
２１２  第２取付部
２１２Ｃ  透孔
２１３  第２重連用取付部
２１３Ａ  透孔
Ｐ  配管
ＰＰ  第２配管
【図１】
2017161041.tif 000003
【図２】
2017161041.tif 000004
【図３】
2017161041.tif 000005
【図４】
2017161041.tif 000006
【図５】
2017161041.tif 000007
【図６】
2017161041.tif 000008
【図７】
2017161041.tif 000009
【図８】
2017161041.tif 000010
【図９】
2017161041.tif 000011
【図１０】
2017161041.tif 000012